(57)【要約】  本発明はサウンディング参照信号の転送方法を提供し、基地局はＵＥのサウンディング参照信号、即ちＳＲＳ信号にリソースを割り当てて、ＵＥへＳＲＳ配置パラメーターを送信して、前記ＳＲＳ配置パラメーターはＳＲＳ帯域幅パラメーターBSRSとＳＲＳ周波数領域位置パラメーターｎRRCを含めることと、前記ＵＥは前記ＳＲＳ配置パラメーターを受信した後に、前記ＳＲＳ配置パラメーターによりＳＲＳ信号の送信に使用されるリソースのＳＲＳ信号の周波数領域の開始位置を計算して、前記リソースを使って基地局へＳＲＳ信号を送信することとを、含めて、この中に、前記基地局がＳＲＳ信号に割り当てる周波数領域リソースはＳＲＳ帯域幅配置のツリー構造のノードに対応し、配置のBSRSは前記ノードの所属の層に対応し、配置のｎRRCは前記ノードのツリー構造の最底層に位置する一つの分岐ノードのインデックスに対応する。
2011517520.tif 000002
【特許請求の範囲】
【請求項１】
基地局はＵＥのサウンディング参照信号、即ちＳＲＳ信号にリソースを割り当てて、ＵＥへＳＲＳ配置パラメーターを送信し、前記ＳＲＳ配置パラメーターはＳＲＳ帯域幅パラメーターBSRSとＳＲＳ周波数領域位置パラメーターｎRRCを含めることと、
前記ＵＥは前記ＳＲＳ配置パラメーターを受信した後に、前記ＳＲＳ配置パラメーターによりＳＲＳ信号の送信に使用されるリソースのＳＲＳ信号の周波数領域の開始位置を計算して、そして、前記リソースを使って基地局へＳＲＳ信号を送信することとを、含めて、
前記基地局がＳＲＳ信号に割り当てる周波数領域リソースはＳＲＳ帯域幅配置のツリー構造のノードに対応し、配置のBSRSは前記ノードの所属の層に対応し、配置のｎRRCは前記ノードのツリー構造の最底層に位置する一つの分岐ノードのインデックスに対応することを特徴とする
サウンディング参照信号の転送方法。
【請求項２】
前記ｎRRCは
【数６９】
2011517520.tif 000083
であって、
Nｂはツリー構造のｂ−１層目のノードがｂ層目に含まれた分岐ノードの数であって、ｂ＝０のときにNｂ＝１であることを特徴とする
請求項１に記載の転送方法。
【請求項３】
前記ＳＲＳ配置パラメーターによりＳＲＳ信号の送信に使用されるリソースのＳＲＳ信号の周波数領域の開始位置を計算し、具体的に、下記の数式
【数７０】
2011517520.tif 000084
によりｂ-１層目のノードはｂ層目に含める分岐ノードのインデックスｎｂを計算して、計算して得たｎｂによりＳＲＳ信号の周波数領域の開始位置を計算し、
【数７１】
2011517520.tif 000085
は切捨てを示し、ｍSRS,ｂは前記ツリー構造のｂ層目のそれぞれのノードが周波数領域に含めるリソースブロック数であって、ｂ＝０、１、２……BSRSである
請求項２に記載の転送方法。
【請求項４】
前記ｎRRCは前記ノードのツリー構造の最底層の何れかの分岐ノードのインデックスに対応し、前記ツリー構造の最底層の分岐ノードのインデックスは０から、０、１、２、３…の順に番号をつけることを特徴とする
請求項１に記載の転送方法。
【請求項５】
前記リソースを使って基地局へＳＲＳ信号を送信した後に、この方法において、さらに、前記基地局は前記ＵＥのＳＲＳ配置パラメーターにより、相応の時間周波数位置に前記ＵＥが送信するＳＲＳ信号を受信することを特徴とする
請求項１〜４のいずれか１つに記載の転送方法。
【請求項６】
基地局はＵＥのサウンディング参照信号、即ち、ＳＲＳ信号にリソースを割り当てて、ＵＥへＳＲＳ帯域幅パラメーターBSRSとＳＲＳ周波数領域位置パラメーターｎRRCとを含めるＳＲＳ配置パラメーターを送信することと、
前記ＵＥは前記ＳＲＳ配置パラメーターを受信した後に、送信ＳＲＳ信号の送信に使用されるリソースのＳＲＳ信号の周波数領域の開始位置を計算して、前記リソースを使用して基地局へＳＲＳ信号を送信することとを、を含めて、
前記基地局がＳＲＳ信号に割り当てる周波数領域リソースはＳＲＳ帯域幅配置のツリー構造中のノードであり、配置されたBSRSは前記ノードの所属の層に対応し、配置されたｎRRCは前記ノードのツリー構造の中でBSRSにより決定される層のインデックスに対応することを特徴とするサウンディング参照信号の転送方法。
【請求項７】
前記ｎRRCは、
【数７２】
2011517520.tif 000086
であって、Nｂはツリー構造のｂ−１層目のノードがｂ層目に含める分岐ノードの数であり、ｂ＝０のときに、Nｂ ＝１であることを特徴とする請求項６に記載の転送方法。
【請求項８】
前記ＳＲＳ配置パラメーターにより計算したＳＲＳ信号の送信に使用されるリソースのＳＲＳ信号の周波数領域の開始位置を計算し、具体的に、下記の式
【数７３】
2011517520.tif 000087
によりｂ−１層目のノードがｂ層目に含める分岐ノードのインデックスｎｂを計算して、計算から取得するｎｂにより、ＳＲＳ信号の周波数領域の開始位置を計算して、この中に、
【数７４】
2011517520.tif 000088
は切捨てを示し、ｍSRS,ｂは前記ツリー構造のｂ層目のそれぞれのノードは周波数領域に含まるリソースブロック数、ｂ＝０、１、２……BSRSであることを特徴とする請求項７の記載の転送方法。
【請求項９】
前記ツリー構造のそれぞれのノードのインデックスは、何れも０から、０、１、２、３…の順に番号をつけることを特徴とする請求項１に記載の転送方法。
【請求項１０】
前記リソースを使用して基地局へＳＲＳ信号を送信した後に、この方法において、さらに、前記基地局は前記ＵＥのＳＲＳ配置パラメーターにより、相応の時間周波数位置に前記ＵＥ送信のＳＲＳ信号を受信することを特徴とする請求項６〜９のいずれか１つに記載の転送方法。
【発明の詳細な説明】
【技術分野】
【０００１】
本発明はサウンディング参照信号の転送技術に関し、特にサウンディング参照信号の転送方法に関する。
【背景技術】
【０００２】
長期発展型システム（ＬＴＥ、Ｌｏｎｇ Ｔｅｒｍ Ｅｖｏｌｕｔｉｏｎ）において、サウンディング参照信号（ＳＲＳ、Ｓｏｕｎｄｉｎｇ Ｒｅｆｅｒｅｎｃｅ Ｓｉｇｎａｌ）は、ユーザー装置（ＵＥ、Ｕｓｅｒ Ｅｑｕｉｐｍｅｎｔ）側、即ち、端末から基地局へ送信された一つの信号であって、主に基地局がアップリンクチャネルの質を計測するためであり、基地局は計測の結果によりアップリンクデータに対する、例えば、アップリンク転送するときに占用される周波数リソース、または使用される変調・コーディング方式等のスケジューリングを完成するために使用される。
【０００３】
従来、ＬＴＥシステムにおいて、複数の種のＳＲＳ帯域幅をサポートされる。ＳＲＳの帯域幅はツリー構造を採用して配置され、帯域幅の配置（ＳＲＳ ｂａｎｄwｉｄｔｈ ｃｏｎｆｉｇｕｒａｔｉｏｎ）種類ごとにひとつのツリー構造が対応され、最高層のＳＲＳ帯域幅（ＳＲＳ-Ｂａｎｄwｉｄｔｈ）に前記ＳＲＳ帯域幅配置の最大帯域幅が対応される。アップリンク帯域幅の配置に対応するすべてのリソースブロック（ＲＢ、Ｒｅｓｏｕｒｃｅ Ｂｌｏｃｋ）の数は
【数１】
2011517520.tif 000003
に定義させて、表１〜表４は、異なるアップリンク帯域幅の配置におけるＳＲＳ帯域幅配置表であって、表１に対応するのは
【数２】
2011517520.tif 000004
であって、表２に対応するのは
【数３】
2011517520.tif 000005
であって、表３に対応するのは
【数４】
2011517520.tif 000006
であって、表４に対応するのは
【数５】
2011517520.tif 000007
である。
【０００４】
この中に、ｍSRS,ｂがツリー構造のｂ層目のノードのそれぞれは周波数領域に含めるＲＢの数であって、ｂ＞０の時に、Nｂはツリー構造のｂ−１層目のノードがｂ層目に含める分岐ノードの数であって、ｂ＝０はツリー構造の最高層に対応して、このときにNｂ＝１に固定して、即ち、ｍSRS,０はこの配置の最大のＳＲＳ帯域幅である。
【０００５】
【表１】
2011517520.tif 000008
【０００６】
【表２】
2011517520.tif 000009
【０００７】
【表３】
2011517520.tif 000010
【０００８】
【表４】
2011517520.tif 000011
【０００９】
ＳＲＳ信号の周波数領域の開始位置が、高層に配置されたセル専有の（ｃｅｌｌ-ｓｐｅｃｉｆｉｃ）ＳＲＳ帯域幅配置及びＵＥ専有の（ＵＥ−ｓｐｅｃｉｆｉｃ）ＳＲＳ帯域幅BSRS及び周波数領域位置パラメーターｎRRCより特定される。
【００１０】
Ｃｅｌｌ-ｓｐｅｃｉｆｉｃのＳＲＳ帯域幅配置パラメーターについて、ＵＥは、アップリンク帯域幅及びこのパラメーターによって、ＳＲＳ帯域幅のツリー構造及びこのツリー構造に対応する各分岐のｍSRS,ｂとNｂを特定する。そして、このパラメーターをセル内に放送する。
【００１１】
ＵＥ-ｓｐｅｃｉｆｉｃのＳＲＳ帯域幅パラメーターBSRSについて、上記表の４種類のｂの取得値の一つに対応して、ＳＲＳ信号はツリー構造のどの層に位置することを特定する。
【００１２】
ｎRRCがＵＥ-ｓｐｅｃｉｆｉｃのＳＲＳ周波数領域の位置パラメーターである。
【００１３】
ＳＲＳ帯域幅のツリー構造及び上記三つのパラメーターにより、ＳＲＳ信号の周波数領域の開始位置が以下の方法を採用して特定する。
【００１４】
【数６】
2011517520.tif 000012
【００１５】
この中に、ｋ０はサウンディング参照信号の周波数領域の開始位置、即ちサブキャリヤーのインデックス番号を示す。
【００１６】
【数７】
2011517520.tif 000013
があって、この中に、
【数８】
2011517520.tif 000014
がある。この数式はシステムにおいて、ＳＲＳの送信を許可される帯域幅はシステム帯域幅の中心位置に位置することを保証して、
【数９】
2011517520.tif 000015
は切捨てを示す。
【数１０】
2011517520.tif 000016
は一つのＲＢが周波数領域に含めるサブキャリヤー数である。ＳＣはｓｕｂ  ｃａｒｒｉｅｒの略称、即ちサブキャリヤーである。
【００１７】
【数１１】
2011517520.tif 000017
はＳＲＳ信号「Ｔｒａｎｓｍｉｓｓｉｏｎ Ｃｏｍｂ」のバイアスであって、ＳＲＳ信号は周波数領域に一つおきのサブキャリヤーで送信されるので、周波数領域において一つの櫛のようになっている。
【００１８】
【数１２】
2011517520.tif 000018
は、ツリー構造においてｂ層目の分岐のＳＲＳ信号シーケンスの長さを示す。
【００１９】
ｎｂはｂ−１層目のノードがｂ層目に含める分岐ノードのインデックスを示し、これによると、
【数１３】
2011517520.tif 000019
がある。
【００２０】
ｎｂは周波数領域の位置パラメーターｎRRCにより計算して得られて、具体的なｎｂとｎRRCとの間の相互関係は、どのようにｎRRCを特定することに繋がる。
【００２１】
従来、ｎRRCに対してどのように特定するのはまだ明確な対策はないままで、既存の対策で得た周波数領域の開始位置は不正確であるから、ＳＲＳ信号の周波数領域の開始位置を正確に特定できず、ＵＥが正確な周波数領域の開始位置で基地局へＳＲＳ信号を送信できない。このため、基地局が正確にアップリンクチャネルの計測を行うことは難しい。
【発明の概要】
【００２２】
本発明が解決しようとする課題は、基地局が正確にアップリンクチャネルの計測を行うようにサウンディング参照信号の転送方法を提供することにある。
【００２３】
上記課題を解決するために、本発明はサウンディング参照信号の転送方法を提供して、この転送方法において、
基地局はＵＥのサウンディング参照信号、即ちＳＲＳ信号にリソースを割り当てて、ＵＥへＳＲＳ配置パラメーターを送信して、前記ＳＲＳ配置パラメーターはＳＲＳ帯域幅パラメーターBSRSとＳＲＳ周波数領域位置パラメーターｎRRCを含めることと、
前記ＵＥは前記ＳＲＳ配置パラメーターを受信した後に、前記ＳＲＳ配置パラメーターによりＳＲＳ信号の送信に使用されるリソースのＳＲＳ信号の周波数領域の開始位置を計算して、そして、前記リソースを使って基地局へＳＲＳ信号を送信することとを、含めて、
この中に、前記基地局のＳＲＳ信号に割り当てた周波数領域リソースはＳＲＳ帯域幅配置のツリー構造のノードに対応し、配置されたBSRSは前記ノードの所属の層に対応し、配置されたｎRRCは前記ノードのツリー構造最底層の一つの分岐ノードのインデックスに対応する。
【００２４】
さらに、前記ｎRRCは、
【数１４】
2011517520.tif 000020
であって、この中に、Nｂはツリー構造のｂ−１層目のノードがｂ層目に含まれた分岐ノード数であって、ｂ＝０のときにNｂ＝１がある。
【００２５】
さらに、前記ＳＲＳ配置パラメーターにより計算したＳＲＳ信号の送信に使用されるリソースのＳＲＳ信号の周波数領域の開始位置は、具体的に、下記の式
【数１５】
2011517520.tif 000021
によりｂ-１層目のノードはｂ層目に含める分岐ノードのインデックスｎｂを計算して、計算から取得するｎｂにより、ＳＲＳ信号の周波数領域の開始位置を計算する。この中に、
【数１６】
2011517520.tif 000022
は切捨てを示し、ｍSRS,ｂは前記ツリー構造のｂ層目のそれぞれのノードが周波数領域に含めるリソースブロック数であって、ｂ＝０、１、２……BSRSである。
【００２６】
前記ｎRRCは前記ノードのツリー構造の最底層の何れかの分岐ノードのインデックスに対応し、前記ツリー構造の最底層の分岐ノードのインデックスは０から、０、１、２、３…の順に番号をつけることが好ましい。
【００２７】
前記リソースを使用して基地局へＳＲＳ信号を送信後に、さらに、この方法において、前記基地局は前記ＵＥのＳＲＳ配置パラメーターにより、相応の時間周波数位置に前記ＵＥ送信のＳＲＳ信号を受信することが好ましい。
【００２８】
さらに、本発明はサウンディング参照信号の転送方法を提供して、この方法において、
基地局はＵＥのサウンディング参照信号、即ち、ＳＲＳ信号にリソースを割り当てて、ＵＥへＳＲＳ帯域幅パラメーターBSRSとＳＲＳ周波数領域位置パラメーターｎRRCとを含めるＳＲＳ配置パラメーターを送信することと、
前記ＵＥは前記ＳＲＳ配置パラメーターを受信した後に、ＳＲＳ信号の送信に使用されるリソースのＳＲＳ信号の周波数領域の開始位置を計算して、そして、前記リソースを使用して基地局へＳＲＳ信号を送信することとを、含めて、
この中に、前記基地局はＳＲＳ信号に割り当る周波数領域リソースがＳＲＳ帯域幅配置のツリー構造中のノードに対応するものであって、配置されたBSRSは前記ノード所属の層に対応して、配置されたｎRRCは前記ノードのツリー構造の中でBSRSより決定される層のインデックスに対応する。
【００２９】
さらに、前記ｎRRCは、
【数１７】
2011517520.tif 000023
この中に、Nｂはツリー構造のｂ−１層目のノードがｂ層目に含める分岐ノードの数であって、ｂ＝０のときに、Nｂ＝１がある。
【００３０】
さらに、前記ＳＲＳ配置パラメーターにより計算したＳＲＳ信号の送信に使用されるリソースのＳＲＳ信号の周波数領域の開始位置は、具体的に、下記の式
【数１８】
2011517520.tif 000024
によりｂ−１層目のノードはｂ層目に含める分岐ノードのインデックスｎｂを計算して、計算から取得するｎｂにより、ＳＲＳ信号の周波数領域の開始位置を計算して、
この中に、
【数１９】
2011517520.tif 000025
は切捨てを示し、ｍSRS,ｂは前記ツリー構造のｂ層目のそれぞれのノードは周波数領域に含まるリソースブロック数であり、ｂ＝０、１、２……BSRSである。
【００３１】
前記ツリー構造のそれぞれのノードのインデックスは、何れも０から、０、１、２、３…の順に番号をつけることが好ましい。
【００３２】
さらに、前記リソースを使用して基地局へＳＲＳ信号を送信した後に、さらに、この方法は、前記基地局は前記ＵＥのＳＲＳ配置パラメーターにより、相応の時間周波数位置に前記ＵＥ送信のＳＲＳ信号を受信する。
【発明の効果】
【００３３】
本発明の方法によれば、正確にｎRRCとｎｂとの間の相互関係を特定できて、当該ＳＲＳ信号の周波数領域の開始位置を特定できなくて、正確にアップリンクチャネル計測を行うことが難しい問題を解決できる。
【図面の簡単な説明】
【００３４】
【図１】基地局から送信されるＳＲＳ配置情報及びＵＥが配置情報より送信ＳＲＳ信号の方法を示すフローチャートである。
【図２】表２の配置０において、本発明第１実施例によるｎRRCの取得を示す図である。
【図３】表２の配置０において、本発明第２実施例によるｎRRCの取得を示す図である。
【図４】表２の配置０において、ＳＲＳ信号の周波数領域の開始位置を計算することを示す図である。
【発明を実施するための形態】
【００３５】
以下、添付図面を参考しながら本発明の具体的な実施の形態について詳細に説明する。これにより当業者は、本発明がどのように技術手段を用いて課題を解決して技術効果に達するかという実現過程を十分に理解し、その実現過程に従って本発明を実施することができる。
【００３６】
（第１実施例）
図１は基地局がＳＲＳ配置情報を送信することとＵＥが配置情報によりＳＲＳ信号を送信する方法を示し、この方法は、下記のステップを含む。
【００３７】
ステップ１１０は、基地局がＵＥからＳＲＳ信号を受信してアップリンクチャネル計測を行うことが必要であるときに、ＳＲＳ信号にリソースを割り当てて、ＵＥへＳＲＳ配置パラメーターを送信する。
【００３８】
ＳＲＳ配置パラメーターは、ＳＲＳ信号の時間区域位置と関連するパラメーターと、ＳＲＳ信号に使用されるシーケンスと関連するパラメーターと、ＳＲＳ信号周波数領域位置と関連するパラメーターと三つの種類に分けられる。前の二つのパラメーターは本発明の検討範囲外である。この中に、あるセル関連の（Ｃｅｌｌ-ｓｐｅｃｉｆｉｃ）パラメーターがセル内に放送され、ＵＥ専有の（ＵＥ-ｓｐｅｃｉｆｉｃ）パラメーターが高層シグナルにより配置される。
【００３９】
ＳＲＳ信号周波数領域位置と関連するパラメーターはＳＲＳ帯域幅パラメーターBSRSとＳＲＳ周波数領域位置パラメーターｎRRCとを含める。前記基地局がＳＲＳ信号に割り当てる周波数領域リソースはＳＲＳ帯域幅配置のツリー構造中のノードに対応し、基地局が配置するＳＲＳ帯域幅パラメーターBSRSは前記ノードの所属の層に対応して、配置するＳＲＳ周波数領域位置パラメーターｎRRCは前記ノードはツリー構造の最底層の一つの分岐ノードのインデックス、あるいは、前記ノードはツリー構造にBSRSより決定する層のインデックスに対応する。
【００４０】
ステップ１２０は、ＵＥが受信したＳＲＳ配置パラメーターにより、ＳＲＳ信号の送信に使用されるリソースの時間区域及び周波数領域及び使用されるシーケンス関連のパラメーターを特定して、このリソースを使用して基地局へＳＲＳ信号を送信する。
【００４１】
ＵＥが受信した時間区域位置関連のパラメーターにより、ＳＲＳ信号を送信する周期及びＳＲＳ信号所属のサブフレーム番号を特定し、受信した周波数領域位置関連のパラメーターにより、ＳＲＳ信号の送信の所属の周波数領域位置（周波数領域の開始位置を含める）及びシーケンスレンクスを特定して、シーケンス関連のパラメーターによりＳＲＳ信号に使用されるシーケンスを特定する。
【００４２】
ステップ１３０は、基地局がＵＥへ配置したＳＲＳパラメーターにより、相応の時間周波数位置にＵＥ端から送信されたＳＲＳ信号を受信する。
【００４３】
本実施例において、基地局はＳＲＳ信号へリソースを割り当てて、周波数領域においてツリー構造の一つのノードに対応して、このノード所属の層によりＳＲＳ帯域幅パラメーターBSRSを配置して、このノードのツリー構造最底層の分岐ノードのインデックスによりＳＲＳ周波数領域位置パラメーターｎRRCを配置して、ｎRRCは、
【数２０】
2011517520.tif 000026
である。
【００４４】
本実施例において、底層以外の分岐ノードのｎRRCの取得値は
この分岐ノードに含めるの最底層の分岐のいずれかのノードのインデックスである。
【００４５】
ＵＥは上記ｎＲＲＣにより計算してｎｂを得て、この中に、ｎｂはｂ−１層目のノードがｂ層目に含める分岐ノードのインデックスを示して、
【数２１】
2011517520.tif 000027
である。
【００４６】
ＵＥは計算によりパラメーターｎｂを得て、数式（１）により正確周波数領域の開始位置を計算できるとともに、相応のリソースにＳＲＳ信号を送信して、そうすると、基地局は正確にＳＲＳ信号を受信できる。数式（１）の計算に必要の他のパラメーターは既存の手法で取得できるから、ここで説明を省略する。
【００４７】
図２は表２配置０の一つのＳＲＳ信号帯域幅配置を示す図であって、表２よりN０＝１、N１＝２、N２＝３であって、この中に、ＵＥ-ｓｐｅｃｉｆｉｃのＳＲＳ帯域幅パラメーターBSRSは基地局により配置されてから、この示す図の中に、
BSRS＝０のときに、この層にただ一つのノードであって、ｎRRC＝｛０、１、２、……、１１｝であって、
BSRS＝１のときに、この層に二つのノードであって、ノード#０に対して、ｎRRC＝｛０、１、２、……、５｝であって、ノード#１に対して、ｎRRC＝｛６、７、……、１１｝であって、
BSRS＝２のときに、この層に四つのノードであってノード#０に対して、ｎRRC＝｛０、１、２、｝であって、ノード#１に対して、ｎRRC＝｛３、４、５｝であって、ノード#２に対して、ｎRRC＝｛６、７、８｝であって、ノード#３に対して、ｎRRC＝｛９、１０、１１｝であって、
BSRS＝３のときに、このツリー構造配置の最底層において、各个ノードの取得値はそれぞれに｛０、１、２、……、１１｝である。
【００４８】
ここで、ＳＲＳ信号が位置するツリー構造の層に持たれるノード数は、ツリー構造により特定された。基地局はＵＥにＳＲＳパラメーターを配置するときに、実際の状況により、たとえばカバーリクエスト、他のＵＥと衝突するかどうか｛しょうとつ｝、ＵＥ移動速度等によりＵＥがＳＲＳを送信するときの時間周波数コードのパラメーターに従って配置する。
【００４９】
（第２実施例）
この実施例方法の流れが第１実施例とほぼ同じであるので、以下は周波数領域の開始位置を特定する方法だけ説明する。
【００５０】
本実施例において、基地局はＳＲＳ信号にリソースを割り当てて、周波数領域においてツリー構造の一つのノードに対応して、このノードの所属層によりＳＲＳ帯域幅パラメーターBSRSを配置して、このノードよりBSRSで決定する層のインデックスによってＳＲＳ周波数領域位置パラメーターｎRRCを（各層のノードのインデックスは０から、０、１、２、３…の順に番号をつける）配置してから、ｎRRCの値の範囲は、
【数２２】
2011517520.tif 000028
である。
【００５１】
ＵＥは数式（１）及び数式（１）の中のｎｂの意味により計算してｎｂを得て、この中に、ｎｂはｂ−１層目のノードがｂ層目に含める分岐ノードのインデックスであって、
【数２３】
2011517520.tif 000029
である。
【００５２】
ＵＥは計算して得られたパラメーターｎｂから数式（１）によって正確な周波数領域の開始位置が計算できるとともに、相応のリソースでＳＲＳ信号を送信して、そうすると、基地局は正確にＳＲＳ信号が受信できる。
【００５３】
図３は表２配置「０」の一つのＳＲＳ信号帯域幅配置を示す図であり、表２配置「０」よりN０＝１、N１＝２、N２＝３を得れるから、この示す図の中に、
BSRS＝０のときに、
【数２４】
2011517520.tif 000030
であって、
BSRS＝１のときに、
【数２５】
2011517520.tif 000031
であって、
BSRS＝２のときに、
【数２６】
2011517520.tif 000032
であって、
BSRS＝３のときに、
【数２７】
2011517520.tif 000033
である。
【００５４】
以下、図４に繋がって、ＳＲＳ帯域幅配置パラメーター及びＳＲＳ帯域幅BSRS及び周波数領域位置パラメーターｎRRCによりサウンディング参照信号の周波数領域の開始位置特定する応用の実例を挙げる。
【００５５】
（実例１）
図４に示すように、表２の配置０に対して、基地局は第１実施例の方法によれば、ＵＥ-ｓｐｅｃｉｆｉｃのパラメーターをBSRS＝１、ｎRRC＝６に配置されて、相応の周波数領域リソースは図４のBSRS＝１に対応する層に
2011517520.tif 000034
で示す区域であって、ここでｎRRCは{６、７、８、９、１０、１１}のいずれかの一つでよい。
【００５６】
ＵＥは上記パラメーターを受信した後に、表２の配置０より、
N０＝１、N１＝２、N２＝３、
ｍSRS,０＝４８、ｍSRS,１＝２４、ｍSRS,２＝１２、ｍSRS,３＝４、
【数２８】
2011517520.tif 000035
である。
【００５７】
【数２９】
2011517520.tif 000036
、ｂ＝０、１……BSRSより計算して、
【数３０】
2011517520.tif 000037
である。
【００５８】
基地局は第２実施例の方法によれば、パラメーターをBSRS＝１、ｎRRC＝１に配置され、
【数３１】
2011517520.tif 000038
より計算して、
【数３２】
2011517520.tif 000039
である。
【００５９】
同じ分岐ノードに対して、異なる実施例のｎRRCの取得値の範囲は異なって、しかし、相応のｎRRCとｎｂとの間の相互関係により
【数３３】
2011517520.tif 000040
の取得値は同じであって、よって、取得したＳＲＳ信号の周波数領域の開始位置も同じである。
【００６０】
【数３４】
2011517520.tif 000041
に仮定すると、
【数３５】
2011517520.tif 000042
である。
【００６１】
ＵＥは
【数３６】
2011517520.tif 000043
により計算して、このＳＲＳの周波数領域の開始位置、即ち周波数領域のサブキャリヤーのインデックスは、
【数３７】
2011517520.tif 000044
であることを得る。
【００６２】
図４のＳＲＳ信号の周波数領域の開始位置を計算することを示す図において、
2011517520.tif 000045
に対応するＳＲＳ信号の周波数領域の開始位置は
【数３８】
2011517520.tif 000046
であって、即ちＵＥの計算する周波数領域の開始位置と基地局の割り当てる周波数領域リソースの周波数領域の開始位置とは一致であって、よって、基地局は正確にＵＥから送信されたＳＲＳ信号を受信できて、正確にアップリンクチャネルの計測を行うことができる。
【００６３】
（実例２）
図４に示すように、表２の配置０に対して、基地局は第１実施例の方法によれば、ＵＥ-ｓｐｅｃｉｆｉｃのパラメーターがBSRS＝２、ｎRRC＝３に配置され、即ち、図４の中のBSRS＝２に対応する層の
2011517520.tif 000047
区域に対応する。
【００６４】
ＵＥは関連パラメーターを受信した後に、表２の配置０により
N０＝１、N１＝２、N２＝３、
ｍSRS,０＝４８、ｍSRS,１＝２４、ｍSRS,２＝１２、ｍSRS,３＝４
【数３９】
2011517520.tif 000048
である。
【００６５】
【数４０】
2011517520.tif 000049
、ｂ＝０、１……BSRSより計算して、
【数４１】
2011517520.tif 000050
がある。
【００６６】
基地局は第２実施例の方法によれば、配置されるパラメーターがBSRS＝２、ｎRRC＝１であって、このとき、ＵＥは、
【数４２】
2011517520.tif 000051
より計算して
【数４３】
2011517520.tif 000052
がある。
【００６７】
これにより、二つの方法に従って計算した結果は一致である。
【００６８】
【数４４】
2011517520.tif 000053
に仮定すると、
【数４５】
2011517520.tif 000054
がある。
【００６９】
ＵＥは、
【数４６】
2011517520.tif 000055
により計算してこのＳＲＳの周波数領域の開始位置、即ち周波数領域サブキャリヤーのインデックスであって、
【数４７】
2011517520.tif 000056
であることを得る。
【００７０】
図４のＳＲＳ信号の周波数領域の開始位置を計算することを示す図において、
2011517520.tif 000057
区域に対応するＳＲＳ信号の周波数領域の開始位置は
【数４８】
2011517520.tif 000058
であって、即ちＵＥは計算した周波数領域の開始位置と基地局分配の周波数領域リソースの周波数領域の開始位置とは一致であることを得ることができてから、基地局は正確にＵＥから送信されたＳＲＳ信号を受信して、正確にアップリンクチャネルの計測を行うことができる。
【００７１】
（実例３）
図４に示すように、表２の配置０に対して、基地局は第１実施例方法によれば、ＵＥ-ｓｐｅｃｉｆｉｃのパラメーターがBSRS＝２、ｎRRC＝９に配置されて、即ち図４のBSRS＝２に対応する層の
2011517520.tif 000059
区域に対応する。
【００７２】
ＵＥは関連パラメーターを受信した後に、表２の配置０により、
N０＝１、N１＝２、N２＝３、
ｍSRS,０＝４８、ｍSRS,１＝２４、ｍSRS,２＝１２、ｍSRS,３＝４、
【数４９】
2011517520.tif 000060
があって
【数５０】
2011517520.tif 000061
、ｂ＝０、１……BSRSより計算して、
【数５１】
2011517520.tif 000062
がある。
【００７３】
基地局は第２実施例の方法によれば、パラメーターがBSRS＝２、ｎRRC＝３に配置されて、
【数５２】
2011517520.tif 000063
により計算して
【数５３】
2011517520.tif 000064
がある。
【００７４】
【数５４】
2011517520.tif 000065
に仮定すると、
【数５５】
2011517520.tif 000066
がある。
【００７５】
ＵＥは
【数５６】
2011517520.tif 000067
により計算してこのＳＲＳの周波数領域の開始位置、即ち周波数領域サブキャリヤーのインデックスであって、
【数５７】
2011517520.tif 000068
であることを得る。
【００７６】
図４のＳＲＳ信号の周波数領域の開始位置を計算することを示す図において、
2011517520.tif 000069
に対応するＳＲＳ信号の周波数領域開始位置は
【数５８】
2011517520.tif 000070
であって、即ちＵＥが計算する周波数領域開始位置と基地局割り当てた周波数領域リソースの周波数領域の開始位置は一致であることを得て、だから、基地局は正確にＵＥから送信されたＳＲＳ信号を受信できて、正確にアップリンクチャネルの計測を行うことができる。
【００７７】
（実例４）
図４に示すように、表２の配置０に対して、基地局は第１実施例の方法によれば、ＵＥ-ｓｐｅｃｉｆｉｃのパラメーターがBSRS＝３、ｎRRC＝７に配置され、即ち図４の中に、BSRS＝３に対応する層の
2011517520.tif 000071
区域に対応する。
【００７８】
ＵＥは関連パラメーターを受信した後に、表２の配置０により、
N０＝１、N１＝２、N２＝３、
ｍSRS,０＝４８、ｍSRS,１＝２４、ｍSRS,２＝１２、ｍSRS,３＝４
【数５９】
2011517520.tif 000072
がある。
【００７９】
ＵＥは
【数６０】
2011517520.tif 000073
、ｂ＝０、１……BSRSにより計算して
【数６１】
2011517520.tif 000074
であることを得る。
【００８０】
基地局は第２実施例の方法によれば、パラメーターがBSRS＝３、ｎRRC＝７に配置されて、そして、
【数６２】
2011517520.tif 000075
により計算して
【数６３】
2011517520.tif 000076
であることを得る。
【００８１】
周波数領域に割り当てられるノードはツリー構造の最底層に位置するときに、第１実施例と第２実施例方法より得たｎRRCの取得値も同じであることがわかる。
【００８２】
【数６４】
2011517520.tif 000077
に仮定すると、
【数６５】
2011517520.tif 000078
がある。
【００８３】
基地局は
【数６６】
2011517520.tif 000079
より計算してこのＳＲＳの周波数領域の開始位置、即ち周波数領域サブキャリヤーのインデックスであって、
【数６７】
2011517520.tif 000080
がある。
【００８４】
図４ のＳＲＳ信号の周波数領域の開始位置を計算することを示す図において、
2011517520.tif 000081
に対応するＳＲＳ信号の周波数領域の開始位置は
【数６８】
2011517520.tif 000082
、即ちＵＥが計算する周波数領域開始位置と基地局割り当てた周波数領域リソースの周波数領域の開始位置とは一致であることを得て、よって、基地局は正確にＵＥから送信されたＳＲＳ信号を受信できて、正確にアップリンクチャネルの計測を行うことができる。
【００８５】
以上、本発明を好適な実施形態を参照して説明したが、本発明は上記実施形態に限定されるものではない。当業者が、実施形態の修正ないし変形により本発明を実施することが可能である。本発明の要旨の範囲内の修正、変形および入れ替わりは本発明の請求項の範囲に含まれて、たとえば、本発明によるシステムはＬＴＥシステムに限定されるものではない。
【産業上の利用可能性】
【００８６】
本発明は、正確にｎRRCとｎｂとの間の相互関係が特定でき、従来のＳＲＳ信号の周波数領域の開始位置が特定できなくて正確にアップリンクチャネル計測を行うことができないという問題を解決できるので、産業上の利用可能性がある。
【図１】
2011517520.tif 000089
【図２】
2011517520.tif 000090
【図３】
2011517520.tif 000091
【図４】
2011517520.tif 000092
【手続補正書】
【提出日】平成22年9月21日(2010.9.21)
【手続補正１】
【補正対象書類名】特許請求の範囲
【補正対象項目名】請求項９
【補正方法】変更
【補正の内容】
【請求項９】
前記ツリー構造のそれぞれのノードのインデックスは、何れも０から、０、１、２、３…の順に番号をつけることを特徴とする請求項６に記載の転送方法。
【国際調査報告】
2011517520.tif 000093
2011517520.tif 000094
2011517520.tif 000095
2011517520.tif 000096
2011517520.tif 000097
2011517520.tif 000098